(57)【要約】【課題】表示装置が表示対象物の色を高い再現性で表示するための色差調整画像データ生成方法を提供する。【解決手段】本発明による色差調整画像データ生成方法は、色信号変換テーブルＣＳＴを生成する工程と、調整画像データＡＤを生成する工程と、色差調整画像データＣＤを生成する工程とを包含する。色信号変換テーブルＣＳＴは、色差調整画像データ生成装置１０と表示装置２０との間で色信号を変換するために用いられる。調整画像データＡＤは、表示対象物Ｔの画像データＩＤにしたがって色差調整画像データ生成装置１０によって表示される前記表示対象物の画像の色が表示対象物Ｔの色と整合するように、画像データＩＤを調整して生成される。色差調整画像データＣＤは、調整画像データＡＤと色信号変換テーブルＣＳＴとに基づいて生成される。【選択図】図１
2019129435.tif 000002
【特許請求の範囲】
【請求項１】
色差調整画像データ生成装置と表示装置との間で色信号を変換するための色信号変換テーブルを生成する工程と、
表示対象物の画像データにしたがって前記色差調整画像データ生成装置によって表示される前記表示対象物の画像の色が前記表示対象物の色と整合するように、前記画像データを調整した調整画像データを生成する工程と、
前記調整画像データと前記色信号変換テーブルとに基づいて色差調整画像データを生成する工程と
を包含する、色差調整画像データ生成方法。
【請求項２】
前記色差調整画像データを生成する工程において、前記色差調整画像データは、前記調整画像データと前記色信号変換テーブルとを含む、請求項１に記載の色差調整画像データ生成方法。
【請求項３】
前記色信号変換テーブルを生成する工程は、
基準色信号データにしたがって前記色差調整画像データ生成装置が表示する画像の色を測定する工程と、
前記基準色信号データにしたがって前記表示装置が表示する画像の色を測定する工程と、
前記表示装置によって表示される画像の色が前記色差調整画像データ生成装置によって表示される画像の色と整合するように、前記色信号変換テーブルを生成する工程と
を含む、請求項１または２に記載の色差調整画像データ生成方法。
【請求項４】
前記調整画像データを生成する工程は、
前記表示対象物を撮像して前記画像データを生成する工程と、
前記画像データを調整して前記調整画像データを生成する工程と
を含む、請求項１から３のいずれかに記載の色差調整画像データ生成方法。
【請求項５】
色差調整画像データ生成装置と表示装置との間で色信号を変換するための色信号変換テーブルを生成する工程と、
表示対象物の画像データにしたがって前記色差調整画像データ生成装置によって表示される画像の色が前記表示対象物の色と整合するように、前記画像データを調整した調整画像データを生成する工程と、
前記調整画像データと前記色信号変換テーブルとに基づいて色差調整画像データを生成する工程と、
前記表示装置が前記色差調整画像データに基づいて前記表示対象物の画像を表示する工程と
を包含する、色差調整画像表示方法。
【請求項６】
前記表示対象物を表示する工程の前に、前記表示装置の表示画面を設定する工程をさらに包含する、請求項５に記載の色差調整画像表示方法。
【請求項７】
前記表示装置の表示画面を設定する工程は、前記表示装置は、前記色信号変換テーブルを生成する際の前記表示装置の表示画面と同じ表示画面に設定される、請求項６に記載の色差調整画像表示方法。
【請求項８】
記憶部と、
表示部と、
前記表示部を制御する制御部と
を備え、
前記記憶部は、表示対象物の画像データ、および、色差調整画像データ生成装置と表示装置との間の色信号変換を行うための色信号変換テーブルを記憶し、
前記記憶部は、前記画像データにしたがって前記表示部によって表示される前記表示対象物の画像の色が前記表示対象物の色と整合するように、前記画像データを調整した調整画像データを記憶し、
前記制御部は、前記調整画像データと前記色信号変換テーブルとに基づいて色差調整画像データを生成する、色差調整画像データ生成装置。
【請求項９】
色差調整画像データ生成装置と、
表示装置と
を備え、
前記色差調整画像データ生成装置は、表示対象物の画像データ、および、前記色差調整画像データ生成装置と前記表示装置との間の色信号変換を行うための色信号変換テーブルを記憶し、
前記色差調整画像データ生成装置は、前記画像データにしたがって前記色差調整画像データ生成装置によって表示される前記表示対象物の画像の色が前記表示対象物の色と整合するように、前記画像データを調整した調整画像データを生成し、
前記色差調整画像データ生成装置は、前記調整画像データと前記色信号変換テーブルとに基づいて色差調整画像データを生成し、
前記表示装置は、前記色差調整画像データに基づいて前記表示対象物の画像を表示する、色差調整画像表示システム。
【発明の詳細な説明】
【技術分野】
【０００１】
本発明は、色差調整画像データ生成方法、色差調整画像表示方法、色差調整画像データ生成装置および色差調整画像表示システムに関する。
【背景技術】
【０００２】
昨今、電子商取引が益々盛んになっており、取引対象者が取引対象物を直接確認することなく取引を進める機会が増加している。この場合、一般には、取引者が対象物を確認するために、表示装置に対象物を表示させて、取引が進められる。
【０００３】
しかしながら、表示装置によって表示される表示対象物の画像の色は、厳密には、表示対象物自体の色と異なることがあることが知られている。例えば、衣料品、靴、化粧品、装飾品等にとって色は重要な要素であるが、表示装置ではこれらの対象物の色を充分に再現できず、良好な取引を進められず問題となっていた。
【０００４】
また、近年、表示装置を利用した遠隔診察および遠隔治療が進められている。この場合も、患者および／または患部の色は診察および／または治療における判断の重要な要素となるが、表示装置ではこれらの対象物の色を充分に再現できなかった。
【０００５】
そのため、表示装置によって表示される表示対象物の画像の色が表示対象物自体の色を再現することが求められている。例えば、画像表示装置に外光センサーを取り付け、画像データにしたがって画像表示装置によって表示される画像を外光センサーで検出することにより、画像データを校正できることが知られている（特許文献１参照）。特許文献１には、外光センサー自体を校正し、表示装置によって表示される表示対象物の画像の色が表示対象物自体の色を再現している。
【先行技術文献】
【特許文献】
【０００６】
【特許文献１】特開２０１６−６１８７６公報
【発明の概要】
【発明が解決しようとする課題】
【０００７】
しかしながら、特許文献１の画像表示装置では、画像表示装置に外光センサーを取り付ける必要がある。このため、一般的な表示装置では、表示する表示対象物の画像の色が表示対象物自体の色を再現することが困難であった。
【０００８】
本発明は上記課題に鑑みてなされたものであり、その目的は、表示装置によって表示される表示対象物の画像の色を高い再現性で表示可能な色差調整画像データ生成方法、色差調整画像表示方法、色差調整画像データ生成装置および色差調整画像表示システムを提供することにある。
【課題を解決するための手段】
【０００９】
本発明による色差調整画像データ生成方法は、色信号変換テーブルを生成する工程と、調整画像データを生成する工程と、色差調整画像データを生成する工程とを包含する。前記色信号変換テーブルを生成する工程において、前記色信号変換テーブルは、色差調整画像データ生成装置と表示装置との間で色信号を変換するために用いられる。前記調整画像データを生成する工程において、表示対象物の画像データにしたがって前記色差調整画像データ生成装置によって表示される前記表示対象物の画像の色が前記表示対象物の色と整合するように、前記画像データを調整した調整画像データを生成する。前記色差調整画像データを生成する工程において、前記調整画像データと前記色信号変換テーブルとに基づいて色差調整画像データを生成する。
【００１０】
ある実施形態では、前記色差調整画像データを生成する工程において、前記色差調整画像データは、前記調整画像データと前記色信号変換テーブルとを含む。
【００１１】
ある実施形態では、前記色信号変換テーブルを生成する工程は、基準色信号データにしたがって前記色差調整画像データ生成装置が表示する画像の色を測定する工程と、前記基準色信号データにしたがって前記表示装置が表示する画像の色を測定する工程と、前記表示装置によって表示される画像の色が前記色差調整画像データ生成装置によって表示される画像の色と整合するように、前記色信号変換テーブルを生成する工程とを含む。
【００１２】
ある実施形態では、前記調整画像データを生成する工程は、前記表示対象物を撮像して前記画像データを生成する工程と、前記画像データを調整して前記調整画像データを生成する工程とを含む。
【００１３】
本発明による色差調整画像表示方法は、色信号変換テーブルを生成する工程と、調整画像データを生成する工程と、色差調整画像データを生成する工程と、前記表示対象物の画像を表示する工程とを包含する。前記色信号変換テーブルを生成する工程において、前記色信号変換テーブルは、色差調整画像データ生成装置と表示装置との間で色信号を変換するために用いられる。前記調整画像データを生成する工程において、表示対象物の画像データにしたがって前記色差調整画像データ生成装置によって表示される画像の色が前記表示対象物の色と整合するように、前記画像データを調整した調整画像データを生成する。前記色差調整画像データを生成する工程において、前記調整画像データと前記色信号変換テーブルとに基づいて色差調整画像データを生成する。前記表示対象物の画像を表示する工程において、前記表示装置が前記色差調整画像データに基づいて前記表示対象物の画像を表示する。
【００１４】
ある実施形態では、前記色差調整画像表示方法は、前記表示対象物を表示する工程の前に、前記表示装置の表示画面を設定する工程をさらに包含する。
【００１５】
ある実施形態では、前記表示装置の表示画面を設定する工程は、前記表示装置は、前記色信号変換テーブルを生成する際の前記表示装置の表示画面と同じ表示画面に設定される。
【００１６】
本発明による色差調整画像データ生成装置は、記憶部と、表示部と、制御部とを備える。前記制御部は前記表示部を制御する。前記記憶部は、表示対象物の画像データ、および、色差調整画像データ生成装置と表示装置との間の色信号変換を行うための色信号変換テーブルを記憶する。前記記憶部は、前記画像データにしたがって前記表示部によって表示される前記表示対象物の画像の色が前記表示対象物の色と整合するように、前記画像データを調整した調整画像データを記憶する。前記制御部は、前記調整画像データと前記色信号変換テーブルとに基づいて色差調整画像データを生成する。
【００１７】
本発明による色差調整画像表示システムは、色差調整画像データ生成装置と、表示装置とを備える。前記色差調整画像データ生成装置は、表示対象物の画像データ、および、前記色差調整画像データ生成装置と前記表示装置との間の色信号変換を行うための色信号変換テーブルを記憶する。前記色差調整画像データ生成装置は、前記画像データにしたがって前記色差調整画像データ生成装置によって表示される前記表示対象物の画像の色が前記表示対象物の色と整合するように、前記画像データを調整した調整画像データを生成する。前記色差調整画像データ生成装置は、前記調整画像データと前記色信号変換テーブルとに基づいて色差調整画像データを生成する。前記表示装置は、前記色差調整画像データに基づいて前記表示対象物の画像を表示する。
【発明の効果】
【００１８】
本発明によれば、表示装置が表示対象物の色を高い再現性で表示できる。
【図面の簡単な説明】
【００１９】
【図１】本発明による色差調整画像表示システムの実施形態の模式図である。
【図２】図１に示した色差調整画像表示システムの実行する色差調整画像表示方法を示すフローチャートである。
【図３】本実施形態の色差調整画像表示システムの模式図である。
【図４】本実施形態の色差調整画像表示システムの模式図である。
【図５】図１に示した色差調整画像表示システムの実行する色差調整画像表示方法を示すフローチャートである。
【図６】図５に示したフローチャートにおいて本実施形態の色差調整画像表示システムの表示装置に表示される表示設定画面を示す模式図である。
【発明を実施するための形態】
【００２０】
以下、本発明の実施形態について、図面を参照しながら説明する。なお、図中、同一または相当部分には同一の参照符号を付して説明を繰り返さない。
【００２１】
以下、図１を参照して、本発明による色差調整画像データ生成装置１０および色差調整画像表示システム１００の実施形態を説明する。図１は、本実施形態の色差調整画像表示システム１００を示す模式図である。色差調整画像表示システム１００は、色差調整画像データ生成装置１０と、表示装置２０とを備える。
【００２２】
色差調整画像データ生成装置１０は色差調整画像データＣＤを生成する。色差調整画像データ生成装置１０は、表示対象物Ｔの画像データＩＤから表示対象物Ｔの色差調整画像データＣＤを生成する。色差調整画像データＣＤは、表示装置２０が表示対象物Ｔの色を再現して表示できるように調整されている。
【００２３】
表示装置２０は、色差調整画像データＣＤに基づいて表示対象物Ｔの画像ＣＳを表示する。表示装置２０は、色差調整画像データＣＤにしたがって表示対象物Ｔの色を再現した画像ＣＳを表示できる。
【００２４】
色差調整画像データ生成装置１０は、制御部１２と、記憶部１４と、表示部１６と、入力部１８とを備える。制御部１２は表示部１６を制御する。
【００２５】
制御部１２は、プロセッサーを含む。プロセッサーは、例えば、中央処理演算機（Ｃｅｎｔｒａｌ  Ｐｒｏｃｅｓｓｉｎｇ  Ｕｎｉｔ：ＣＰＵ）を有する。または、プロセッサーは汎用演算機を有してもよい。
【００２６】
記憶部１４は、画像データＩＤおよびコンピュータープログラムを記憶する。記憶部１４は、また、後述の色信号変換テーブルＣＳＴを記憶する。記憶部１４は、主記憶装置と、補助記憶装置とを含む。主記憶装置は、例えば、半導体メモリーである。補助記憶装置は、例えば、半導体メモリーおよび／またはハードディスクドライブである。記憶部１４はリムーバブルメディアを含んでいてもよい。画像データＩＤは色信号を含む。例えば、色信号はＲＧＢで表記される。制御部１２は、記憶部１４の記憶しているコンピュータープログラムを実行して、本実施形態の色差調整画像データ生成方法を実行する。
【００２７】
表示部１６は画像を表示する。制御部１２は、表示部１６が記憶部１４に記憶された画像データＩＤにしたがって画像を表示するように表示部１６を制御する。
【００２８】
入力部１８は、記憶部１４に記憶された画像データＩＤを調整するための情報を入力する。ユーザーは、入力部１８を介して、画像データＩＤを調整するための情報を入力できる。記憶部１４は、画像データＩＤを調整することによって生成した調整画像データＡＤを記憶する。表示部１６は、調整画像データＡＤにしたがって画像を表示する。入力部１８は、表示部１６と一体的に設けられたタッチセンサーであってもよい。
【００２９】
色差調整画像データ生成装置１０は通信部１９をさらに備えることが好ましい。通信部１９は、表示装置２０との間でデータを送信および／または受信する。
【００３０】
表示装置２０は、制御部２２と、記憶部２４と、表示部２６とを備える。制御部２２は、表示部２６を制御する。記憶部２４には、ブラウザーアプリケーションがインストールされている。例えば、ブラウザーアプリケーションは、「ＧＯＯＧＬＥ  ＣＨＲＯＭＥ（登録商標）」または「Ｓａｆａｒｉ」である。
【００３１】
制御部２２はプロセッサーを含む。プロセッサーは、例えば、中央処理演算機（Ｃｅｎｔｒａｌ  Ｐｒｏｃｅｓｓｉｎｇ  Ｕｎｉｔ：ＣＰＵ）を有する。または、プロセッサーは汎用演算機を有してもよい。
【００３２】
記憶部２４は画像データを記憶する。記憶部２４は、主記憶装置と、補助記憶装置とを含む。主記憶装置は、例えば、半導体メモリーである。補助記憶装置は、例えば、半導体メモリーおよび／またはハードディスクドライブである。記憶部２４はリムーバブルメディアを含んでいてもよい。画像データは色信号を含む。例えば、色信号はＲＧＢで表記される。
【００３３】
表示部２６は画像を表示する。制御部２２は、表示部２６が記憶部２４に記憶された画像データにしたがって画像を表示するように表示部２６を制御する。例えば、制御部２２は、表示部２６がブラウザーアプリケーションの表示画面を表示するように表示部２６を制御する。
【００３４】
表示装置２０は通信部２９をさらに備えることが好ましい。通信部２９は、色差調整画像データ生成装置１０の通信部１９との間でデータを送信および／または受信する。あるいは、通信部２９は、外部のサーバーとの間でデータを送信および／または受信する。
【００３５】
表示部１６は、記憶部１４に記憶された画像データＩＤにしたがって表示対象物Ｔの画像を表示する。表示部１６は、記憶部１４に記憶された画像データＩＤを調整することなく画像データＩＤにしたがって表示対象物Ｔの画像を表示する。
【００３６】
例えば、画像データＩＤは、表示対象物Ｔを撮像することで生成される。画像データＩＤは、市販の撮像装置で表示対象物Ｔを撮像することによって生成される。撮像装置は、デジタルビデオカメラであってもよいし、撮像機能を有するスマートフォン、携帯電話またはタブレットであってもよい。
【００３７】
なお、表示部１６が、画像データＩＤを調整することなく画像データＩＤにしたがって画像を表示すると、表示部１６によって表示される画像の色は表示対象物Ｔの色とは異なる。また、表示装置２０が、画像データＩＤを調整することなく画像データＩＤにしたがって画像を表示すると、表示装置２０によって表示される画像の色は表示対象物Ｔの色とは異なる。
【００３８】
色差調整画像データ生成装置１０は、表示対象物Ｔの画像データＩＤから表示対象物Ｔの調整画像データＡＤを生成する。調整画像データＡＤは色信号を含む。調整画像データＡＤの色信号はＲＧＢで表される。調整画像データＡＤは、画像データＩＤを調整することによって生成される。
【００３９】
例えば、ユーザーは、表示部１６が画像データＩＤにしたがって表示する画像を確認しながら、画像データＩＤの色信号の値を変更する。例えば、ユーザーは、入力部１８を介して色信号の値を変更する。画像データＩＤの調整は、画像データＩＤにしたがって表示部１６によって表示される表示対象物Ｔの画像の色が実際の表示対象物Ｔの色を再現するまで行われる。なお、本明細書において、表示部１６によって表示される画像の色が表示対象物Ｔの色を再現するまで調整された画像データＩＤを調整画像データＡＤと記載することがある。調整画像データＡＤは、表示部１６が表示対象物Ｔの色を校正した状態で表示できるように画像データＩＤを調整したものである。このため、表示部１６は、調整画像データＡＤに基づき、表示対象物Ｔの色を再現して表示できる。以上により、実際の表示対象物Ｔの色は、調整画像データＡＤにしたがって表示部１６によって表示される表示対象物Ｔの画像で再現される。
【００４０】
また、典型的には、同じ画像データにしたがう場合でも、表示装置２０の表示部２６によって表示される画像の色は色差調整画像データ生成装置１０の表示部１６によって表示される画像の色とは異なる。例えば、表示装置２０が、記憶部２４に記憶された画像データを変換することなく画像を表示すると、表示装置２０の表示部２６によって表示される画像の色は色差調整画像データ生成装置１０の表示部１６によって表示される画像の色とは異なることになる。
【００４１】
このため、表示装置２０は、色信号変換テーブルＣＳＴを用いて、色差調整画像データ生成装置１０と表示装置２０との間の色信号を変換する。記憶部１４は、色信号変換テーブルＣＳＴを記憶する。色信号変換テーブルＣＳＴにより、色差調整画像データ生成装置１０の色信号によって表される色を表示装置２０の色信号によって表される色で再現できる。表示装置２０が、記憶部１４に記憶された画像データを色信号変換テーブルＣＳＴにしたがって色信号を変換して画像を表示すると、表示装置２０の表示部２６によって表示される画像の色は色差調整画像データ生成装置１０の表示部１６によって表示される画像の色を再現できる。なお、色信号変換テーブルＣＳＴは、色差調整画像データ生成装置１０と表示装置２０の種類とに固有のものである。このため、表示装置として別の色特性を有する表示装置を対象とする場合、別の色信号変換テーブルを別途生成する必要がある。
【００４２】
色差調整画像データ生成装置１０は、調整画像データＡＤおよび色信号変換テーブルＣＳＴに基づいて色差調整画像データＣＤを生成する。例えば、色差調整画像データＣＤは、調整画像データＡＤおよび色信号変換テーブルＣＳＴを含む。一例として、色信号変換テーブルＣＳＴは、表示装置２０において、色差調整画像データＣＤのカラープロファイルとして用いられる。色差調整画像データＣＤは、調整画像データＡＤおよび色信号変換テーブルＣＳＴを合成することによって生成される。
【００４３】
表示装置２０は、色差調整画像データ生成装置１０によって生成された色差調整画像データＣＤを受け取る。表示装置２０は、色差調整画像データＣＤに基づいて表示対象物Ｔの画像を色校正した状態で表示できる。したがって、本実施形態の色差調整画像データ生成装置１０において生成した色差調整画像データＣＤにより、表示装置２０は、表示対象物Ｔの画像の色を高い再現性で表示できる。
【００４４】
ここで、図１および図２を参照して、本実施形態の色差調整画像データ生成装置１０を用いた色差調整画像データ生成方法および色差調整画像表示方法を説明する。図２は、本実施形態の色差調整画像表示方法を示すフローチャートである。図２に示すように、本実施形態の色差調整画像表示方法は工程Ｓ２０２〜工程Ｓ２０８を含む。
【００４５】
まず、工程Ｓ２０２に示すように、色差調整画像データ生成装置１０と表示装置２０との間の色信号変換テーブルＣＳＴを生成する。生成された色信号変換テーブルＣＳＴは、色差調整画像データ生成装置１０の記憶部１４に記憶される。色信号変換テーブルＣＳＴにより、色差調整画像データ生成装置１０の色信号と表示装置２０の色信号との変換が可能になる。
【００４６】
例えば、色差調整画像データ生成装置１０および表示装置２０が同じデータにしたがって表示した画像の色を測定することによって、色信号変換テーブルＣＳＴを生成できる。一例では、色差調整画像データ生成装置１０の表示部１６が、複数の異なる色信号を含む基準色信号データにしたがって画像を表示し、測色器が、表示部１６の表示する複数の色の属性を測定する。色の属性は、例えば、色度Ｘ、Ｙおよび明度Ｅｖである。同様に、表示装置２０の表示部２６が、複数の異なる色信号を含む基準色信号データにしたがって画像を表示し、測色器が、表示部２６の表示する複数の色の属性を測定する。なお、表示装置２０の表示部２６によって表示される基準色信号データは、表示部１６によって表示される基準色信号データと同じである。
【００４７】
同一の基準色信号データにしたがって表示する場合でも、表示部１６によって表示される色は表示装置２０の表示部２６によって表示される色とは異なる。例えば、基準色信号データ色信号が（Ｒ，Ｇ，Ｂ）＝（２５５，０，０）である場合、表示部１６によって表示される色の明度および色度は（Ｅｖ，Ｘ，Ｙ）＝（１５．０，０．５５，０．３０）であり、表示部２６によって表示される色の明度および色度は（Ｅｖ，Ｘ，Ｙ）＝（１５．０，０．６０，０．３０）であるとする。また、基準色信号データのある色信号が（Ｒ，Ｇ，Ｂ）＝（２４０，０，０）である場合、表示部１６によって表示される色の明度および色度は（Ｅｖ，Ｘ，Ｙ）＝（１５．０，０．５０，０．３０）であり、表示部２６によって表示される色の明度および色度は（Ｅｖ，Ｘ，Ｙ）＝（１５．０，０．５５，０．３０）であるとする。
【００４８】
この場合、表示部１６における色信号は（Ｒ，Ｇ，Ｂ）＝（２５５，０，０）であり、表示部２６における色信号は（Ｒ，Ｇ，Ｂ）＝（２４０，０，０）であれば、表示部１６および表示部２６はそれぞれ同じ明度および色度（Ｅｖ，Ｘ，Ｙ）＝（１５．０，０．５５，０．３０）の色を表示できる。したがって、色差調整画像データ生成装置１０における色信号（Ｒ，Ｇ，Ｂ）＝（２５５，０，０）は表示装置２０における色信号（Ｒ，Ｇ，Ｂ）＝（２４０，０，０）に相当することになる。この場合、色信号変換テーブルＣＳＴは、色差調整画像データ生成装置１０における色信号（Ｒ，Ｇ，Ｂ）＝（２５５，０，０）を表示装置２０における色信号（Ｒ，Ｇ，Ｂ）＝（２４０，０，０）に変換する旨のテーブルを有する。
【００４９】
同様に、基準色信号データのある色信号が（Ｒ，Ｇ，Ｂ）＝（０，２５５，０）である場合、表示部１６によって表示される色の明度および色度は（Ｅｖ，Ｘ，Ｙ）＝（２２．０，０．１５，０．６５）であり、表示部２６によって表示される色の明度および色度は（Ｅｖ，Ｘ，Ｙ）＝（２２．０，０．１５，０．７０）であるとする。また、基準色信号データの別の色信号が（Ｒ，Ｇ，Ｂ）＝（０，２４０，０）である場合、表示部１６によって表示される色の明度および色度は（Ｅｖ，Ｘ，Ｙ）＝（２２．０，０．１５，０．６０）であり、表示部２６によって表示される色の明度および色度は（Ｅｖ，Ｘ，Ｙ）＝（２２．０，０．１５，０．６５）であるとする。
【００５０】
この場合、表示部１６における色信号は（Ｒ，Ｇ，Ｂ）＝（０，２５５，０）であり、表示部２６における色信号は（Ｒ，Ｇ，Ｂ）＝（０，２４０，０）であれば、表示部１６および表示部２６はそれぞれ同じ明度および色度（Ｅｖ，Ｘ，Ｙ）＝（２２．０，０．１５，０．６５）の色を表示できる。したがって、色差調整画像データ生成装置１０における色信号（Ｒ，Ｇ，Ｂ）＝（０，２５５，０）は表示装置２０における色信号（Ｒ，Ｇ，Ｂ）＝（０，２４０，０）に相当することになる。この場合、色信号変換テーブルＣＳＴは、色差調整画像データ生成装置１０における色信号（Ｒ，Ｇ，Ｂ）＝（０，２５５，０）を表示装置２０における色信号（Ｒ，Ｇ，Ｂ）＝（０，２４０，０）に変換する旨のテーブルを有する。
【００５１】
なお、上述の数値は本実施形態の理解を容易にするための例示であり、実際の値ではないことに留意されたい。また、上述の説明では、表示装置２０におけるある色信号に対応する画像の明度および色度が色差調整画像データ生成装置１０における別の色信号に対応する画像の明度および色度と等しかったが、本発明はこれに限定されない。表示装置２０におけるある色信号に対応する画像の明度および色度が色差調整画像データ生成装置１０における別の色信号に対応する画像の明度および色度と近ければよい。
【００５２】
例えば、表示装置２０におけるある色信号に対応する画像の色と色差調整画像データ生成装置１０における別の色信号に対応する色との間の色差ΔＥは６．０以下であることが好ましく、４．５以下であることがさらに好ましく、３．０以下であることがさらに好ましい。あるいは、色差ΔＥは１．５以下であることがさらに好ましい。なお、ΔＥ＝｛（ΔＬ*）2＋（Δａ*）2＋（Δｂ*）2｝1/2で表され、Ｌ*＝１１６×ｆ（Ｙ／Ｙn）−１６、ａ*＝５００×［ｆ（Ｘ／Ｘn）−ｆ（Ｙ／Ｙn）］、ｂ*＝２００×［ｆ（Ｙ／Ｙn）−ｆ（Ｚ／Ｚn）］であり、ｔ＞（６／２９）3のときｆ（ｔ）＝ｔ1/3であり、上記以外のときｆ（ｔ）＝［（２９／３）3×ｔ＋１６］／１１６である。また、Ｘn、Ｙn、ＺnはホワイトポイントのＣＩＥ  ＸＹＺでの三刺激値である。
【００５３】
以上のように、色差調整画像データ生成装置１０における基準色信号データの色信号に対応する画像の色と表示装置２０における基準色信号データの色信号に対応する画像の色との比較により、色信号変換テーブルＣＳＴを生成できる。なお、色差調整画像データ生成装置１０および表示装置２０のそれぞれにおける画像データの色信号のすべての色を測定しなくてもよい。測定の対象となる色信号は互いに異なる約１０００色に対応するものであればよい。
【００５４】
例えば、色差調整画像データ生成装置１０の記憶部１４には異なる色を示す複数の色信号を有する基準色信号データが記憶されている場合、色差調整画像データ生成装置１０の表示部１６が基準色信号データにしたがって異なる色を表示する一方で、色差調整画像データ生成装置１０の通信部１９は表示装置２０に基準色信号データを送信してもよい。この場合、表示装置２０の表示部２６が基準色信号データにしたがって異なる色を表示する。測色器は、色差調整画像データ生成装置１０の表示部１６および表示装置２０の表示部２６によって表示される画像の色を測定することにより、測定結果に基づいて、色差調整画像データ生成装置１０と表示装置２０との間の色信号変換テーブルＣＳＴを生成できる。
【００５５】
なお、色信号変換テーブルＣＳＴを生成する際の表示装置２０の表示画面は、色信号を除いて一定に設定されることが好ましい。表示装置２０の表示画面一定に設定することにより、色信号を除いた表示装置２０における色の影響を抑制できる。また、色信号変換テーブルＣＳＴを生成する際の表示装置２０の表示画面は明るさを最大に設定することが好ましい。
【００５６】
次に、工程Ｓ２０４に示すように、画像データＩＤを調整した調整画像データＡＤを生成する。色差調整画像データ生成装置１０において、画像データＩＤを調整した調整画像データＡＤが生成される。
【００５７】
画像データＩＤは、表示部１６の記憶部１４に記憶される。画像データＩＤは表示対象物Ｔを撮像装置で撮像したものである。色差調整画像データ生成装置１０において、表示部１６が表示対象物Ｔの画像データＩＤに従った画像を表示するように制御部１２は表示部１６を制御する。画像データＩＤは表示対象物Ｔを撮像したものであるが、表示部１６によって画像データＩＤにしたがって表示される画像の色は表示対象物Ｔ自体の色を再現したものとはいえない。しかしながら、表示部１６によって表示される画像の色を表示対象物Ｔの実際の色に近づけるように画像データＩＤを調整した調整画像データＡＤを生成することで、表示部１６が表示対象物Ｔの色を再現した画像を表示できる。
【００５８】
画像データＩＤおよび調整画像データＡＤは色信号を含む。例えば、画像データＩＤおよび調整画像データＡＤの色信号のそれぞれはＲＧＢで表記される。なお、調整画像データＡＤは、画像データＩＤを調整しており、ＲＧＢの値の点で異なる。
【００５９】
画像データＩＤの調整は人間によって行われてもよい。あるいは、画像データＩＤの調整は機械的に行われてもよい。例えば、測色計が表示対象物Ｔの色を測定する一方で、画像データＩＤを調整しつつ、測色計は、調整した画像データＩＤにしたがって画像を表示する表示部１６を測色し、表示部１６の測色結果が表示対象物Ｔの測色結果に近づくまで、画像データＩＤの調整を続ける。これにより、画像データＩＤを調整した調整画像データＡＤを生成してもよい。
【００６０】
次に、工程Ｓ２０６に示すように、調整画像データＡＤと色信号変換テーブルＣＳＴとに基づいて色差調整画像データＣＤを生成する。色差調整画像データＣＤの生成は、色差調整画像データ生成装置１０において行われる。例えば、色差調整画像データＣＤは、調整画像データＡＤと色信号変換テーブルＣＳＴとを合成することによって生成される。
【００６１】
例えば、色差調整画像データ生成装置１０の通信部１９が色差調整画像データＣＤを表示装置２０に送信してもよい。あるいは、ユーザーが色差調整画像データ生成装置１０に記憶された色差調整画像データＣＤを搬送用記憶素子に記憶させ、ユーザーが搬送用記憶素子を介して色差調整画像データＣＤを表示装置２０に搬送してもよい。
【００６２】
あるいは、生成された色差調整画像データＣＤは、例えば、インターネットでアクセス可能なサーバーにアップロードされてもよい。例えば、ユーザーは、色差調整画像データＣＤをインターネット上でアクセス可能なサーバーにアップロードする。この場合、サーバーに色差調整画像データＣＤをアップロードするユーザーは、色差調整画像データＣＤを生成したユーザーと同じでなくてもよい。例えば、色差調整画像データＣＤをサーバーにアップロードするユーザーは、色差調整画像データＣＤを生成した人間、組織または機関と異なってもよい。
【００６３】
次に、工程Ｓ２０８に示すように、表示装置２０は色差調整画像データＣＤに基づいて表示対象物Ｔの画像ＣＳを表示する。表示装置２０は、色差調整画像データＣＤにしたがって表示対象物Ｔの画像ＣＳを表示する。詳細には、表示装置２０は、色差調整画像データＣＤの調整画像データＡＤの色信号を色差調整画像データＣＤの色信号変換テーブルＣＳＴにしたがって変換して表示対象物Ｔの画像ＣＳを表示する。なお、色差調整画像データＣＤにしたがって表示対象物Ｔの画像を表示するユーザーは、色差調整画像データＣＤをサーバーにアップロードした人間、組織または機関と異なってもよい。以上のようにして、本実施形態の色差調整画像表示方法は実行される。
【００６４】
なお、図１および図２を参照した上述の説明では、１つの表示装置２０が１つの表示対象物Ｔの画像を表示するように色を校正して表示したが、本発明はこれに限定されない。
【００６５】
色差調整画像データＣＤは、インターネット上でアクセス可能なサーバーにアップロードされることで、不特定多数の第三者の表示装置２０に閲覧可能となってもよい。ただし、不特定多数の第三者の表示装置２０は、色信号変換テーブルＣＳＴの生成の対象となった表示装置２０と同じ機種または同じ色特性を有していることが好ましい。
【００６６】
図３に示すように、表示装置２０が別の表示対象物Ｔ１の色を校正して表示対象物Ｔ１の画像を表示する場合、色差調整画像データ生成装置１０と表示装置２０との間の色信号を変換する色信号変換テーブルＣＳＴをそのまま適用できる。例えば、色差調整画像データ生成装置１０は、表示対象物Ｔ１の画像データＩＤ１を調整した調整画像データＡＤ１を生成し、調整画像データＡＤ１と色信号変換テーブルＣＳＴに基づいて色差調整画像データＣＤ１を生成する。この場合、色差調整画像データ生成装置１０と表示装置２０との間の色信号を変換する色信号変換テーブルＣＳＴは、表示装置２０または表示装置２０と同じ色特性を有する同種の表示装置に対して適用可能である。
【００６７】
また、図１および図２を参照した上述の説明では、１つの表示装置２０が１つの表示対象物Ｔの画像を表示するように色を校正して表示したが、本発明はこれに限定されない。図４に示すように、別の表示装置２０Ａが表示対象物Ｔの色を校正して表示対象物Ｔの画像を表示する場合、調整画像データＡＤは、同じ表示対象物Ｔの画像データＩＤに対して適用可能である。
【００６８】
例えば、表示装置２０Ａが色信号変換テーブルＣＳＴに対応する表示装置２０とは色特性の異なる場合、表示装置２０Ａが表示対象物Ｔの色を校正して表示対象物Ｔの画像を表示するために、色差調整画像データ生成装置１０と表示装置２０Ａとの間の色信号変換に対応する色信号変換テーブルＣＳＴＡを生成する。この場合、色差調整画像データ生成装置１０は、調整画像データＡＤと色信号変換テーブルＣＳＴＡに基づいて色差調整画像データＣＤＡを生成すればよい。このように、調整画像データＡＤは、色差調整画像データ生成装置１０で表示対象物Ｔの画像データＩＤを調整したものを適用可能である。
【００６９】
なお、色信号変換テーブルＣＳＴは、表示装置２０自体または表示装置２０と同じ色特性を有する同種の表示装置に対して適用可能である。例えば、色信号変換テーブルＣＳＴが色差調整画像データ生成装置１０の色信号と表示装置２０としてのアイフォン（登録商標）の色信号との変換を示す場合、色差調整画像データＣＤのアップロードされたサーバーは、アイフォンからアクセスされると、色差調整画像データＣＤに従った画像ＣＳをアイフォンに表示させることができる。一方で、アンドロイド（登録商標）の表示装置からアクセスされると、色差調整画像データＣＤに従った画像ＣＳを表示させることができない。この場合、アンドロイドの表示装置からアクセスされると、サーバーは、調整画像データＡＤに従った画像を表示させる。
【００７０】
このように、例えば、色差調整画像データＣＤのアップロードされたサーバーは、表示装置２０自体または表示装置２０と同じ色特性を有する同種の表示装置からアクセスされた場合には、表示装置２０自体または表示装置２０と同じ色特性を有する同種の表示装置に色差調整画像データＣＤに従った画像ＣＳを表示させることができる。一方、色差調整画像データＣＤのアップロードされたサーバーは、表示装置２０自体または表示装置２０と同じ色特性を有する同種の表示装置以外の表示装置からアクセスされた場合には、色差調整画像データＣＤに従った画像ＣＳを表示させることはできない。このため、サーバーに表示装置からアクセスがあった場合には、調整画像データＡＤにしたがった画像を表示させることができる。
【００７１】
なお、表示装置２０が色差調整画像データＣＤにしたがって表示対象物Ｔの画像ＣＳを表示する際に、表示装置２０の表示画面の設定に応じて、色差調整画像データＣＤにしたがう画像ＣＳの見え方が異なることがある。例えば、表示装置２０の表示設定において明度が異なる場合、色差調整画像データＣＤにしたがう画像ＣＳの見え方が異なることがある。このため、表示装置２０は、色差調整画像データＣＤにしたがう画像ＣＳを同じ明度で表示することが好ましい。
【００７２】
次に、図１および図５を参照して、図１に示した色差調整画像データ生成装置１０を用いた色差調整画像表示方法を説明する。図５は、本実施形態の色差調整画像表示方法を示すフローチャートである。図５に示すように、本実施形態の色差調整画像表示方法は工程Ｓ５０２〜工程Ｓ５０８を含む。なお、図５に示すフローチャートは、工程Ｓ５０７に、表示装置２０の表示画面を設定する工程が追加された点を除き、図２を参照して上述したフローチャートと同様である。このため、冗長を避ける目的で重複する記載を省略する。
【００７３】
本実施形態の色差調整画像表示方法において、工程Ｓ５０２〜工程Ｓ５０６は、図２を参照して上述した工程Ｓ２０２〜工程Ｓ２０６と同様である。工程Ｓ５０２に示すように、色信号変換テーブルＣＳＴを生成し、工程Ｓ５０４に示すように、調整画像データＡＤを生成する。その後、工程Ｓ５０６に示すように、色差調整画像データＣＤを生成する。
【００７４】
本実施形態の色差調整画像表示方法では、工程Ｓ５０８において、色差調整画像データＣＤにしたがって表示対象物Ｔの画像を表示する前に、工程Ｓ５０７において表示部２６の表示画面を設定する。表示画面の設定は、ユーザーが表示装置２０に表示対象物Ｔの画像を表示することを要求した後に、ユーザーによって行われてもよい。例えば、ユーザーが、表示装置２０が表示対象物Ｔの画像を表示することを要求した後、表示装置２０が表示対象物Ｔの画像を表示する前に、表示装置２０は、表示対象物Ｔの表示画面を設定するための画面を表示してもよい。
【００７５】
表示画面の設定は、表示装置２０の明るさを設定するための画面であることが好ましい。例えば、表示装置２０は、表示装置２０の明るさを最大に設定するようユーザーに要求してもよい。
【００７６】
図６は、表示装置２０の明るさを調整するように表示装置２０のユーザーに警告する画面を示す。表示装置２０が、色差調整画像データＣＤにアクセスする場合、表示装置２０は、表示装置２０のユーザーに警告する画面を表示することが好ましい。なお、工程Ｓ５０７において設定される表示画面は、色信号変換テーブルＣＳＴの生成時に、表示装置２０が基準色信号データを表示した表示画面の表示設定と同じあることが好ましい。
【００７７】
あるいは、表示装置２０は、サーバーに記憶された色差調整画像データＣＤにしたがって画像ＣＳを表示する場合、表示装置２０の明るさを自動調整してもよい。以上のように、色差調整画像データＣＤにしたがって表示対象物Ｔの画像ＣＳを表示する前に、表示装置２０の表示画面の設定が行われる。
【００７８】
その後、工程Ｓ５０８において、色差調整画像データＣＤにしたがって表示対象物Ｔの画像ＣＳを表示する。このとき、表示装置２０において表示される表示対象物Ｔの画像ＣＳは、工程Ｓ５０７において設定された表示画面にしたがって表示される。このため、表示装置２０において表示される表示対象物Ｔの画像ＣＳの色は、表示対象物Ｔの色を再現できる。
【００７９】
以上、図面（図１〜図６）を参照して本発明の実施形態について説明した。ただし、本発明は、上記の実施形態に限られるものではなく、その要旨を逸脱しない範囲で種々の態様において実施できる。また、上記の実施形態に開示されている複数の構成要素は適宜改変可能である。例えば、ある実施形態に示される全構成要素のうちのある構成要素を別の実施形態の構成要素に追加してもよく、または、ある実施形態に示される全構成要素いくつかの構成要素を実施形態から削除してもよい。
【００８０】
また、図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能であることは言うまでもない。
【産業上の利用可能性】
【００８１】
本発明によれば、表示装置によって表示される画像の色が表示対象物の色を再現するように表示装置によって表示される画像の色を校正できる。
【符号の説明】
【００８２】
１０  色差調整画像データ生成装置
１２  制御部
１４  記憶部
１６  表示部
１８  入力部
２０  表示装置
２２  制御部
２４  記憶部
２６  表示部
１００  色差調整画像表示システム
【図１】
2019129435.tif 000003
【図２】
2019129435.tif 000004
【図３】
2019129435.tif 000005
【図４】
2019129435.tif 000006
【図５】
2019129435.tif 000007
【図６】
2019129435.tif 000008
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
基準色信号データにしたがって表示装置によって表示される画像の色が前記基準色信号データにしたがって色差調整画像データ生成装置によって表示される画像の色と整合するように前記色差調整画像データ生成装置と前記表示装置との間で色信号を変換するための色信号変換テーブルを生成する工程と、
表示対象物の撮像によって得られた前記表示対象物の画像データにしたがって前記色差調整画像データ生成装置に前記表示対象物の画像を表示させ、前記色差調整画像データ生成装置によって表示される前記表示対象物の画像の色が前記表示対象物の色と整合するように、前記画像データを調整した調整画像データを生成する工程と、
前記調整画像データと前記色信号変換テーブルとを含む色差調整画像データを生成する工程と
を包含する、色差調整画像データ生成方法。
【請求項２】
前記色差調整画像データを生成する工程において、前記色差調整画像データは、前記調整画像データおよび前記色信号変換テーブルを合成することによって生成される、請求項１に記載の色差調整画像データ生成方法。
【請求項３】
前記色信号変換テーブルを生成する工程は、
前記基準色信号データにしたがって前記色差調整画像データ生成装置が表示する画像の色を測定する工程と、
前記基準色信号データにしたがって前記表示装置が表示する画像の色を測定する工程と、
前記表示装置によって表示される画像を測定した色が前記色差調整画像データ生成装置によって表示される画像を測定した色と整合するように、前記色信号変換テーブルを生成する工程と
を含む、請求項１または２に記載の色差調整画像データ生成方法。
【請求項４】
前記調整画像データを生成する工程は、
前記表示対象物を撮像して前記画像データを生成する工程と、
前記画像データを調整して前記調整画像データを生成する工程と
を含む、請求項１から３のいずれかに記載の色差調整画像データ生成方法。
【請求項５】
基準色信号データにしたがって表示装置によって表示される画像の色が前記基準色信号データにしたがって色差調整画像データ生成装置によって表示される画像の色と整合するように前記色差調整画像データ生成装置と前記表示装置との間で色信号を変換するための色信号変換テーブルを生成する工程と、
表示対象物の撮像によって得られた前記表示対象物の画像データにしたがって前記色差調整画像データ生成装置に前記表示対象物の画像を表示させ、前記色差調整画像データ生成装置によって表示される前記表示対象物の画像の色が前記表示対象物の色と整合するように、前記画像データを調整した調整画像データを生成する工程と、
前記調整画像データと前記色信号変換テーブルとを含む色差調整画像データを生成する工程と、
前記表示装置が前記色差調整画像データに基づいて前記表示対象物の画像を表示する工程と
を包含する、色差調整画像表示方法。
【請求項６】
前記表示対象物を表示する工程の前に、前記表示装置の表示画面の明度を設定する工程をさらに包含する、請求項５に記載の色差調整画像表示方法。
【請求項７】
前記表示装置の表示画面の明度を設定する工程は、前記表示装置は、前記色信号変換テーブルを生成する際の前記表示装置の表示画面の明度と同じ表示画面の明度に設定される、請求項６に記載の色差調整画像表示方法。
【請求項８】
記憶部と、
表示部と、
前記表示部を制御する制御部と
を備え、
前記記憶部は、表示対象物の撮像によって得られた前記表示対象物の画像データを記憶し、
前記記憶部は、基準色信号データにしたがって表示装置によって表示される画像の色が前記基準色信号データにしたがって前記表示部によって表示される画像の色と整合するように色差調整画像データ生成装置と前記表示装置との間の色信号変換を行うための色信号変換テーブルを記憶し、
前記制御部は、前記表示対象物の前記画像データにしたがって前記表示部に前記表示対象物の画像を表示させ、前記表示部によって表示される前記表示対象物の画像の色が前記表示対象物の色と整合するように、前記画像データを調整した調整画像データを生成して、前記調整画像データを前記記憶部に記憶させ、
前記制御部は、前記調整画像データと前記色信号変換テーブルとを含む色差調整画像データを生成する、色差調整画像データ生成装置。
【請求項９】
色差調整画像データ生成装置と、
表示装置と
を備え、
前記色差調整画像データ生成装置は、表示対象物の撮像によって得られた前記表示対象物の画像データを記憶し、
前記色差調整画像データ生成装置は、基準色信号データにしたがって前記表示装置によって表示される画像の色が前記基準色信号データにしたがって前記色差調整画像データ生成装置によって表示される画像の色と整合するように前記色差調整画像データ生成装置と前記表示装置との間の色信号変換を行うための色信号変換テーブルを記憶し、
前記色差調整画像データ生成装置は、前記画像データにしたがって前記表示対象物の画像を表示し、前記色差調整画像データ生成装置によって表示される前記表示対象物の画像の色が前記表示対象物の色と整合するように、前記画像データを調整した調整画像データを生成し、
前記色差調整画像データ生成装置は、前記調整画像データと前記色信号変換テーブルとを含む色差調整画像データを生成し、
前記表示装置は、前記色差調整画像データに基づいて前記表示対象物の画像を表示する、色差調整画像表示システム。